(57)【要約】【課題】浄水用フィルターにおいてフィルターカートリッジを分離後、内部フィルターを容易に交替できるようにする。【解決手段】本発明の浄水用フィルターは、原水が流入される流入口と、原水をフィルター側に案内する原水流動通路を開閉するオートシャットオフバルブと濃縮水排出通路が形成されるチェックバルブボディーと、浄水された水を外部へ排出させる流出口と、濃縮水を外部へ排出させる濃縮水調節口を含むコネクターと、コネクターに結合する時、オートシャットオフバルブを開放させて、原水流動通路を開放させるフィルターハウジングと、フィルターハウジングをコネクターに着脱可能に固定するロッキング手段と、コネクターにフィルターハウジングを結合する時、原水を逆浸透膜フィルターに供給する第１通路と逆浸透膜フィルターから浄水された水を流出口に供給する第２通路と濃縮水を濃縮水排出通路に供給する第３通路を含む流路切換ガイドを備える。【選択図】図３
2008534255.tif 000002
【特許請求の範囲】
【請求項１】
外部から原水が流入される流入口と、流入口を通過した原水がフィルター側に移動される原水流動通路およびフィルターによって濾過された濃縮水が移動される濃縮水排出通路が形成されるチェックバルブボディーと、フィルターによって、浄水された水を外部へ排出させる流出口と、濃縮水排出通路を通じて、濃縮水を外部へ排出し、濃縮水の排出量を制御する濃縮水排出口を含むコネクターと、
逆浸透膜フィルターが収容され、コネクターに着脱可能に結合されるフィルターハウジングと、
上記コネクターに内設され、フィルターハウジングをコネクターに着脱可能に固定するロッキング手段と、
上記フィルターハウジングの上側に内設され、コネクターにフィルターハウジングを結合する時、原水流動通路を通過する原水を逆浸透膜フィルターに供給する第１通路と、逆浸透膜フィルターによって浄水された水を流出口に供給する第２通路と、逆浸透膜フィルターからの濃縮水を濃縮水排出通路に供給する第３通路を含む流路切換ガイド、を備えることを特徴とするコネクターを用いて容易に交替できる浄水用フィルター。
【請求項２】
外部から原水が流入される流入口と、流入口を通過した原水がフィルター側に移動される原水流動通路およびフィルターによって濾過された濃縮水が移動される濃縮水排出通路が形成されるチェックバルブボディーと、フィルターによって、浄水された水を外部へ排出させる流出口を含むコネクターと、
逆浸透膜フィルターが収容され、コネクターに着脱可能に結合されるフィルターハウジングと、
上記フィルターハウジングの上側に内設され、コネクターにフィルターハウジングを結合する時、原水流動通路を通過する原水を逆浸透膜フィルターに供給する第１通路と、逆浸透膜フィルターによって、浄水された水を流出口に供給する第２通路と、逆浸透膜フィルターからの濃縮水を濃縮水排出通路に供給する第３通路を含む流路切換ガイドと、
上記流出口に設置され、中央に長さ方向に貫通形成される浄水通路を通じて、第２通路を通過する浄水を外部へ排出させ、浄水通路外側に形成される濃縮水通路を通じて、第３通路と濃縮水排出通路を通過する濃縮水を外部へ排出させる二重管形状の連結管と、
上記連結管の濃縮水通路と連通されて、濃縮水を外部へ排出させるように連結管後方に直角方向に分岐接続される濃縮水排出管、を備えることを特徴とするコネクターを用いて容易に交替できる浄水用フィルター。
【請求項３】
外部から原水が流入される流入口と、流入口を通過した原水がフィルター側に移動される原水流動通路が形成されるチェックバルブボディーと、浄水された水を外部へ排出させる流出口を含むコネクターと、
セジメントフィルター、活性炭フィルター、中空糸膜フィルターの中、いずれか一つの浄水フィルターが収容され、コネクターに着脱可能に結合されるフィルターハウジングと、
上記コネクターに内設され、フィルターハウジングをコネクターに着脱可能に固定するロッキング手段と、
上記フィルターハウジングの上側に内設され、コネクターにフィルターハウジングを結合する時、原水流動通路を通過する原水を浄水フィルターに供給する第１通路と、浄水フィルターによって浄水された水を流出口に供給する第２通路を含んでなる流路切換ガイド、を備えることを特徴とするコネクターを用いて容易に交替できる浄水用フィルター。
【請求項４】
上記ロッキング手段は、
上記コネクターの下面に装着され、貫通孔が中央に形成され、安着溝が形成される下部カバーと、
上記安着溝に回動可能にヒンジ固定され、結合溝が弧形状で形成されるフィルター支持台と、
上記結合溝に移動可能に結合される結合突起が形成され、使用者による回動によりフィルター支持台を回動させ、コネクターに対してフィルターハウジングを着脱可能にロッキングさせるレバー、を備えることを特徴とする請求項１乃至３のいずれかに記載のコネクターを用いて容易に交替できる浄水用フィルター。
【請求項５】
上記ロッキング手段は、
上記コネクターの下面に装着され、貫通孔が中央に形成され、安着溝が形成される下部カバーと、
上記安着溝に回動可能にヒンジ固定され、結合溝が弧形状で形成されるフィルター支持台と、
上記下部カバーとコネクターとの間にスイング可能に結合され、結合溝に移動可能に結合される結合突起が形成され、使用者による回動によってフィルター支持台を回動させて、コネクターに対してフィルターハウジングを着脱可能にロッキングさせるレバーと、
上記コネクター底面に取付けられるストッパーと、
ストッパーと対向されるようにレバー上面に形成されるロッキング溝と、
ロッキング溝と連通するようにレバーに半径方向に形成される貫通孔に挿入時、ロッキング溝からストッパーを離脱させて、コネクターに対するレバーのロッキングを解除させるロッキング解除穴を備えることを特徴とする請求項１乃至３のいずれかに記載のコネクターを用いて容易に交替できる浄水用フィルター。
【請求項６】
上記貫通孔と接する下部カバーの安着溝に形成され、レバーの回動によって連動されるフィルター支持台の過度な回動を防止するストッパーをさらに備えることを特徴とする請求項４記載のコネクターを用いて容易に交替できる浄水用フィルター。
【請求項７】
上記貫通孔と接する下部カバーの安着溝に形成され、レバーの回動によって連動されるフィルター支持台の過度な回動を防止するストッパーをさらに備えることを特徴とする請求項４記載のコネクターを用いて容易に交替できる浄水用フィルター。
【請求項８】
上記ロッキング手段は、
上記コネクターの下面に装着され、フィルターハウジングのキャップ外径に対応される貫通孔が中央に形成される下部カバーと、
上記コネクターと下部カバーとの間に装着され、対向する傾斜長孔とフィルターハウジングのカラーを着脱可能に締結する対向半円弧部を備えて、弾性部材によって向かい合う方向に加圧される一対のスライドプレートと、
上記傾斜長孔に結合された突起を有する分離バーと上記分離バーの一端を互いに連結させた押しバーを有する分離ボタン手段とを含んで、
上記フィルターハウジングを分離する時、押しバーを加圧することによって、分離バーが前進され、傾斜長孔に結合された突起が前進されて、突起の側面と長孔の側面にすべりが発生され、スライドプレートが突起移動方向に対して直角方向に移動されて遠ざかる方向に移動されるので、フィルターハウジングをコネクターから分離させることを特徴とする請求項１乃至３のいずれかに記載のコネクターを用いて容易に交替できる浄水用フィルター。
【請求項９】
上記逆浸透膜フィルターとフィルターハウジングとの間の通路に沿って流入される原水と逆浸透膜フィルターを通過する濃縮水が混合されることを防止するように流路切換ガイドに延長形成されて、逆浸透膜フィルターの外側に結合される延長片端部をシーリング処理する仕上げ材をさらに備えることを特徴とする請求項１乃至３のいずれかに記載のコネクターを用いて容易に交替できる浄水用フィルター。
【請求項１０】
上記逆浸透膜フィルターとフィルターハウジングとの間の通路に沿って流入される原水と逆浸透膜フィルターを通過する濃縮水が混合されることを防止するように流路切換ガイドに延長形成されて、逆浸透膜フィルターの外側に結合される延長片端部をシーリング処理する仕上げ材をさらに備えることを特徴とする請求項４記載のコネクターを用いて容易に交替できる浄水用フィルター。
【請求項１１】
上記濃縮水排出口は、
上記濃縮水排出通路と連通する貫通孔が下部において半径方向に形成され、内周縁において溝が長さ方向に形成される本体と、
上記本体内部に回転可能に結合され、回転量により開口量が可変調節されるスリットが形成される回転片と、
上記本体に着脱可能に結合され、回転片が水圧によって、本体から離脱および回転されることを防止するキャップを含むことを特徴とする請求項１記載のコネクターを用いて容易に交替できる浄水用フィルター。
【請求項１２】
上記濃縮水排出口は、コネクターの上部またはコネクターの側面に装着されることを特徴とする請求項１記載のコネクターを用いて容易に交替できる浄水用フィルター。
【請求項１３】
上記回転片に形成されるスリットの幅は、回転片の回転量により上記溝と連通する開口量が可変調節されるように円錘形で形成されることを特徴とする請求項１１記載のコネクターを用いて容易に交替できる浄水用フィルター。
【請求項１４】
上記フィルターハウジングは、キャップに着脱可能にねじ結合されるか、または上記フィルターハウジングとキャップは互いに分離されないように一体型に固定されることを特徴とする請求項１乃至３のいずれかに記載のコネクターを用いて容易に交替できる浄水用フィルター。
【請求項１５】
上記コネクターは、上記原水流動通路に設置され、上記コネクターにフィルターハウジングを結合する時、原水流動通路を開放するオートシャットオフバルブをさらに備えることを特徴とする請求項１乃至３のいずれかに記載のコネクターを用いて容易に交替できる浄水用フィルター。
【請求項１６】
外部から原水が流入される流入口と、流入口を通過した原水をフィルター側に案内する原水流動通路を開閉できるように弾力設置されるオートシャットオフバルブを収容するチェックバルブボディーと、浄水された水を外部へ排出させる流出口を含む第１コネクターと、
セジメントフィルターが内設され、第１コネクターに着脱可能に結合する時、オートシャットオフバルブを開放させて、原水流動通路を開放させる第１フィルターハウジングと、
上記第１コネクターの流出口に流入口が直列に連通するように連結され、原水をフィルター側に案内する原水流動通路を開閉することができるように弾力設置されるオートシャットオフバルブを収容するチェックバルブボディーと、浄水された水を外部へ排出させる流出口を含む第２コネクターと、
プレカーボンフィルターが内設され、第２コネクターに着脱可能に結合する時、オートシャットオフバルブを開放させて、原水流動通路を開放させる第２フィルターハウジングと、
上記第２コネクターの流出口に流入口が直列に連通するように連結され、原水をフィルター側に案内する原水流動通路を開閉することができるように弾力設置されるオートシャットオフバルブと濃縮水を外部へ排出させる濃縮水排出通路が形成されたチェックバルブボディーと、浄水された水を外部へ排出させる流出口を含む第３コネクターと、
逆浸透膜フィルターが収容され、第３コネクターに着脱可能に結合する時、オートシャットオフバルブを開放させて、原水流動通路を開放させる第３フィルターハウジングと、
上記第３コネクターの流出口に流入口が直列に連通するように連結され、原水をフィルター側に案内する原水流動通路を開閉することができるように弾力設置されるオートシャットオフバルブを収容するチェックバルブボディーと、浄水された水を外部へ排出させる流出口を含んでなる第４コネクターと、
ポストカーボンフィルターが内設され、第４コネクターに着脱可能に結合する時、オートシャットオフバルブを開放させて、原水流動通路を開放させる第４フィルターハウジングを備えることを特徴とするコネクターを用いて容易に交替できる浄水用フィルターを利用した浄水システム。
【請求項１７】
隣り合ったコネクターとコネクターを連通するように連結する連結部材と、
上記連結部材の内部に装着され、交替されるフィルターハウジングの下流側コネクターまたはフィルターハウジングに形成される残圧によって浄水が逆流されることを防止する逆流防止用チェックバルブをさらに備えることを特徴とする請求項１６記載のコネクターを用いて容易に交替できる浄水用フィルターを利用した浄水システム。
【請求項１８】
請求項１６に記載の浄水システムが、浄水器または水処理装置に使われることを特徴とするコネクターを用いて容易に交替できる浄水用フィルターを利用した浄水システム。
【請求項１９】
上記オートシャットオフバルブは、コネクターにフィルターハウジングを結合する時、流路切換ガイドの結合方向と同一方向に移動可能に装着されるか、または流路切換ガイドの結合方向に対して直角方向に移動可能に装着されることを特徴とする請求項１５記載のコネクターを用いて容易に交替できる浄水用フィルター。
【請求項２０】
上記第２コネクターと第３コネクターとの間の通路に連通する入口、及び出口を開閉することができるように設置されて、粒状活性炭でなるプレカーボンフィルターを最初の交替の際、開放される出口を通じて、内部の異質物を外部へ排出させるフラッシングバルブをさらに備えることを特徴とする請求項１６記載のコネクターを用いて容易に交替できる浄水用フィルターを利用した浄水システム。
【請求項２１】
上記フラッシングバルブは、外部から電気的信号印加によって開閉されるソレノイドバルブ、または手動で開閉できる機械式バルブが使われることを特徴とする請求項２０記載のコネクターを用いて容易に交替できる浄水用フィルターを利用した浄水システム。
【請求項２２】
上記第１コネクターと第２コネクターとの間の通路に連通する入口、及び出口を開閉することができるように設置され、第４フィルターハウジングを通過して、貯蔵タンクに貯蔵される浄水が設定された水位を超過する時、電気的信号印加により上記入口、及び出口を遮断するソレノイドバルブをさらに備えることを特徴とする請求項１６記載のコネクターを用いて容易に交替できる浄水用フィルターを利用した浄水システム。
【発明の詳細な説明】
【技術分野】
【０００１】
本発明は、逆浸透膜フィルターなどを用いる浄水システムのフィルターカートリッジを交替するために分離する場合、オートシャットオフバルブ(auto shut off valve)により流路を自動閉鎖させることで、原水閉めバルブを閉める動作が不要なコネクターを用いて容易に交替できる浄水用フィルターおよびこれを用いた浄水システムに関する。
【０００２】
より詳細には、原水、浄水水および濃縮水の通路が、一つのポート(port)形状で形成された浄水用フィルターによって、浄水システムの連結構造を簡単化し、浄水システムからフィルターカートリッジを分離した後、内部フィルターを容易に交替できるようにしたコネクターを用いて容易に交替できる浄水用フィルターおよびこれを用いた浄水システムに関する。
【背景技術】
【０００３】
図１は、逆浸透膜フィルターなどを用いる一般的な浄水システムの概略的な構成図である。図１に示されたように、一般的な浄水システムは、不図示の水道蛇口に連結するホースを通じて流入される原水（地下水などをいう）に含まれるサビ、土、砂、浮遊される固形物を不織布によって、マクロサイズの異質物を除去するセジメントフィルター１と、コール(coal)の鉱物質またはヤシの木を高温で焼いて作った活性炭の吸着方式によって、水中に残留される塩素成分、有機化学物質などを除去するプレカーボン(precarbon)フィルター２と、ポリアマイド複合膜によって、０．０００１ミクロン大の微細な気孔を通じて、水中の各種汚染物質、細菌、無機物質、重金属などを浄水処理する逆浸透膜フィルター３と、水中の臭い、ガス成分のような異質物を浄水処理して、水味を改善するポストカーボン(postcarbon)フィルター４からなる。
【０００４】
この際、逆浸透膜フィルター３により濾過される不純物（濃縮水をいう）は、濃縮水調節バルブ５を通じて、外部へ排出される。
【０００５】
図２に示されたように、従来技術による逆浸透膜フィルターは、原水が流入される流入口６が一端に突出するように形成されたキャップ７と、原水に含まれる各種異質物をフィルターリングする逆浸透膜フィルター３が内設され、浄水水排出孔８および濃縮水排出孔９が分離して形成されたフィルターハウジング１０と、逆浸透膜フィルター３の中央に長さ方向に内設され、逆浸透膜フィルター３により濾過された後、貫通孔１１を通じて流入される浄水水を溜めて、浄水水排出孔８に送るコア形状のチューブ１２を備える。
【０００６】
図面中、未説明符号１３は、テーピングによって、逆浸透膜フィルター３外部へ原水が漏れ出ることを遮断して、原水と濃縮水との混合を防止するシーリング部材である。
【発明の開示】
【発明が解決しようとする課題】
【０００７】
前述した通り、逆浸透膜フィルター３は、物品特性上、浄水水排出孔８と濃縮水排出孔９が各々分離して形成されているので、原価費用上昇はもちろん、浄水システムを形成するフィルターとフィルターを連結する時、ホースと連結部材(fitting)等の別途の部品が必要なので浄水システムを狭苦しいところに設置する時、不便であって、組み立てる作業性が劣る。またフィルターを交替するに専門知識がなかったり、経験のない一般消費者らがフィルターを容易に交替できなくなって、専門的なA/S(after/sale service)を要請することになり、これによって、費用の負担を高めるとの問題点を有する。
【０００８】
また、複数のフィルターカートリッジからなる浄水システムで、いずれか一つのフィルターカートリッジを交替するためには、原水開閉装置を閉め状態に切換して、流路を閉鎖した状態で該当フィルターカートリッジを交替し、フィルターカートリッジ交替後、原水閉め装置を更に操作して、開放状態に切換えなければならないので、作業性が低下されるとの問題点を有する。
【０００９】
本発明の目的は、浄水システムの該当フィルターカートリッジを交替するために分離する場合、水圧および弾性部材の復原力によって、オートシャットオフバルブを初期の閉め状態に切換えさせて、原水が漏れ出ることを防止することによって、原水閉めバルブを閉める動作が不要であって、作業性を向上させるようにしたコネクターを用いて容易に交替できる浄水用フィルターおよびこれを用いた浄水システムを提供する。
【００１０】
本発明の他の目的は、原水、浄水水および濃縮水の通路を一つのポート形状で形成された逆浸透膜フィルターを含む浄水フィルターの構造にすることによって、浄水システムの連結構造が簡単化されるので、組み立て作業を簡便化できるようにした浄水用フィルターおよびこれを用いた浄水システムを提供する。
【００１１】
本発明のまた他の目的は、浄水システムでフィルターカートリッジの着脱が容易であって、一般消費者らがフィルターを容易に交替できるようにした浄水用フィルターおよびこれを用いた浄水システムを提供する。
【課題を解決するための手段】
【００１２】
前述した本発明の目的は、外部から原水が流入される流入口と、流入口を通過した原水がフィルター側に移動される原水流動通路およびフィルターによって濾過された濃縮水が移動される濃縮水排出通路が形成されるチェックバルブボディーと、フィルターによって、浄水された水を外部へ排出させる流出口と、濃縮水排出通路を通じて、濃縮水を外部へ排出し、濃縮水の排出量を制御する濃縮水排出口を含むコネクターと、逆浸透膜フィルターが収容され、コネクターに着脱可能に結合されるフィルターハウジングと、コネクターに内設され、フィルターハウジングをコネクターに着脱可能に固定するロッキング手段と、フィルターハウジングの上側に内設され、コネクターにフィルターハウジングを結合する時、原水流動通路を通過する原水を逆浸透膜フィルターに供給する第１通路と、逆浸透膜フィルターによって浄水された水を流出口に供給する第２通路と、逆浸透膜フィルターからの濃縮水を濃縮水排出通路に供給する第３通路を含む流路切換ガイド、を備えることを特徴とするコネクターを用いて容易に交替できる浄水用フィルターを提供することによって、達成される。
【００１３】
前述した本発明の目的は、外部から原水が流入される流入口と、流入口を通過した原水がフィルター側に移動される原水流動通路およびフィルターによって濾過された濃縮水が移動される濃縮水排出通路が形成されるチェックバルブボディーと、フィルターによって、浄水された水を外部へ排出させる流出口を含むコネクターと、逆浸透膜フィルターが収容され、コネクターに着脱可能に結合されるフィルターハウジングと、フィルターハウジングの上側に内設され、コネクターにフィルターハウジングを結合する時、原水流動通路を通過する原水を逆浸透膜フィルターに供給する第１通路と、逆浸透膜フィルターによって、浄水された水を流出口に供給する第２通路と、逆浸透膜フィルターからの濃縮水を濃縮水排出通路に供給する第３通路を含む流路切換ガイドと、流出口に設置され、中央に長さ方向に貫通形成される浄水通路を通じて、第２通路を通過する浄水を外部へ排出させ、浄水通路外側に形成される濃縮水通路を通じて、第３通路と濃縮水排出通路を通過する濃縮水を外部へ排出させる二重管形状の連結管と、連結管の濃縮水通路と連通されて、濃縮水を外部へ排出させるように連結管後方に直角方向に分岐接続される濃縮水排出管を備えることを特徴とするコネクターを用いて容易に交替できる浄水用フィルターを提供することによって、達成される。
【００１４】
前述した本発明の目的は、外部から原水が流入される流入口と、流入口を通過した原水がフィルター側に移動される原水流動通路が形成されるチェックバルブボディーと、浄水された水を外部へ排出させる流出口を含むコネクターと、セジメントフィルター、活性炭フィルター、中空糸膜フィルターの中、いずれか一つの浄水フィルターが収容され、コネクターに着脱可能に結合されるフィルターハウジングと、コネクターに内設され、フィルターハウジングをコネクターに着脱可能に固定するロッキング手段と、フィルターハウジングの上側に内設され、コネクターにフィルターハウジングを結合する時、原水流動通路を通過する原水を浄水フィルターに供給する第１通路と、浄水フィルターによって浄水された水を流出口に供給する第２通路を含んでなる流路切換ガイド、を備えることを特徴とするコネクターを用いて容易に交替できる浄水用フィルターを提供することによって、達成される。
【００１５】
前述した本発明の目的は、外部から原水が流入される流入口と、流入口を通過した原水をフィルター側に案内する原水流動通路を開閉することができるように弾力設置されるオートシャットオフバルブを収容するチェックバルブボディーと、浄水された水を外部へ排出させる流出口を含む第１コネクターと、セジメントフィルターが内設され、第１コネクターに着脱可能に結合する時、オートシャットオフバルブを開放させて、原水流動通路を開放させる第１フィルターハウジングと、第１コネクターの流出口に流入口が直列に連通するように連結され、原水をフィルター側に案内する原水流動通路を開閉することができるように弾力設置されるオートシャットオフバルブを収容するチェックバルブボディーと、浄水された水を外部へ排出させる流出口を含む第２コネクターと、プレカーボンフィルターが内設され、第２コネクターに着脱可能に結合する時、オートシャットオフバルブを開放させて、原水流動通路を開放させる第２フィルターハウジングと、第２コネクターの流出口に流入口が直列に連通するように連結され、原水をフィルター側に案内する原水流動通路を開閉することができるように弾力設置されるオートシャットオフバルブと濃縮水を外部へ排出させる濃縮水排出通路が形成されたチェックバルブボディーと、浄水された水を外部へ排出させる流出口を含む第３コネクターと、逆浸透膜フィルターが収容され、第３コネクターに着脱可能に結合する時、オートシャットオフバルブを開放させて、原水流動通路を開放させる第３フィルターハウジングと、第３コネクターの流出口に流入口が直列に連通するように連結され、原水をフィルター側に案内する原水流動通路を開閉することができるように弾力設置されるオートシャットオフバルブを収容するチェックバルブボディーと、浄水された水を外部へ排出させる流出口を含んでなる第４コネクターと、ポストカーボンフィルターが内設され、第４コネクターに着脱可能に結合する時、オートシャットオフバルブを開放させて、原水流動通路を開放させる第４フィルターハウジングを備えることを特徴とするコネクターを用いて容易に交替できる浄水用フィルターを用いた浄水システムを提供することによって、達成される。
【００１６】
望ましくは、前述したロッキング手段は、コネクターの下面に装着され、貫通孔が中央に形成され、安着溝が形成される下部カバーと、安着溝に回動可能にヒンジ固定され、結合溝が弧形状に形成されるフィルター支持台と、結合溝に移動可能に結合される結合突起が形成され、使用者による回動によりフィルター支持台を回動させて、コネクターに対してフィルターハウジングを着脱可能にロッキングさせるレバーを備える。前述したロッキング手段は、コネクターの下面に装着され、貫通孔が中央に形成され、安着溝が形成される下部カバーと、安着溝に回動可能にヒンジ固定され、結合溝が弧形状に形成されるフィルター支持台と、下部カバーとコネクターとの間にスイング可能に結合され、結合溝に移動可能に結合される結合突起が形成され、使用者による回動によって、フィルター支持台を回動させて、コネクターに対してフィルターハウジングを着脱可能にロッキングさせるレバーと、コネクター底面に取付けられるストッパーと、ストッパーと対向してレバー上面に形成されるロッキング溝と、ロッキング溝と連通するようにレバーに半径方向に形成される貫通孔に挿入時、ロッキング溝からストッパーを離脱させて、コネクターに対するレバーのロッキングを解除させるロッキング解除穴を備える。
【００１７】
前述した貫通孔と接する下部カバーの安着溝に形成され、レバーの回動によって連動されるフィルター支持台の過度な回動を防止するストッパーをさらに備える。
【００１８】
前述したフィルター支持台は、安着溝に少なくとも２個以上が装着される。
【００１９】
前述したロッキング手段は、コネクターの下面に装着され、フィルターハウジングのキャップ外径に対応される貫通孔が中央に形成される下部カバーと、コネクターと下部カバーとの間に装着され、対向する傾斜長孔と、フィルターハウジングのカラーを着脱可能に締結する対向半円弧部を具備して、弾性部材によって向かい合う方向に加圧される一対のスライドプレートと、傾斜長孔に結合された突起を有する分離バーと分離バーの一端を互いに連結させた押しバーを有する分離ボタン手段を含んで、フィルターハウジングを分離する時、押しバーを加圧することによって、分離バーが前進され、傾斜長孔に結合された突起が前進されて、突起の側面と長孔の側面にすべりが発生され、スライドプレートが突起移動方向に対して直角方向に移動され、遠ざかる方向に移動されるので、フィルターハウジングをコネクターから分離させる。
【００２０】
前述した逆浸透膜フィルターとフィルターハウジングとの間の通路に沿って流入される原水と逆浸透膜フィルターを通過する濃縮水が混合されることを防止するように流路切換ガイドに延長形成され、逆浸透膜フィルター外側に結合される延長片端部をシーリング処理する仕上げ材をさらに備える。
【００２１】
前述したフィルター支持台は、カム形状で形成され、フィルター支持台が安着される安着溝はフィルター支持台形状に対応されるように形成される。
【００２２】
前述した濃縮水排出口は、濃縮水排出通路と連通する貫通孔が半径方向に下側に形成され、内周縁に溝が長さ方向に形成される本体と、本体内部に回転可能に結合され、回転量により開口量が可変調節されるスリットが形成される回転片と、本体に着脱可能に結合され、本体から回転片が水圧によって、離脱および回転することを防止するキャップを含む。
【００２３】
前述した濃縮水排出口は、コネクターの上部またはコネクターの側面に装着される。
【００２４】
前述した回転片に形成されるスリットの幅は、回転片の回転量により溝と連通される開口量が可変調節されるように円錘形で形成される。
【００２５】
前述したフィルターハウジングは、キャップに着脱可能にねじ結合されるか、またはフィルターハウジングとキャップは互いに分離されないように一体型に固定される。
【００２６】
前述したコネクターは、原水流動通路に設置され、コネクターにフィルターハウジングを結合する時、原水流動通路を開放するオートシャットオフバルブをさらに備える。
【００２７】
また、隣り合ったコネクターとコネクターを連通するように連結する連結部材と、連結部材の内部に装着され、交替されるフィルターハウジングの下流側コネクターまたはフィルターハウジングに形成される残圧によって浄水が逆流されることを防止する逆流防止用チェックバルブをさらに備える。
【００２８】
前述した第１、２、３、４コネクターに内設され、第１、２、３、４フィルターハウジングを第１、２、３、４コネクターに着脱可能に各々固定するロッキング手段をさらに備える。
【００２９】
前述したオートシャットオフバルブは、コネクターにフィルターハウジングを結合する時、流路切換ガイドの結合方向と同一方向に移動されるか、または流路切換ガイドの結合方向に対して直角方向に移動可能に装着される。前述した第２コネクターと第３コネクターとの間の通路に連通する入口、及び出口を開閉できるように設置され、粒状活性炭でなるプレカーボンフィルターを最初の交替の際、開放される出口を通じて、内部の異質物を外部へ排出させるフラッシングバルブをさらに備える。
【００３０】
前述したフラッシングバルブは、外部から電気的信号印加により開閉されるソレノイドバルブまたは手動で開閉される機械式バルブが使われる。
【００３１】
前述した第１コネクターと第２コネクターとの間の通路に連通する入口、及び出口を開閉することができるように設置され、第４フィルターハウジングを通過して、貯蔵タンクに貯蔵される浄水が、設定された水位を超過する時、電気的信号印加により入口、及び出口を遮断するソレノイドバルブをさらに備える。
【発明を実施するための最良の形態】
【００３２】
以下、本発明の望ましい実施例を添付された図面を参照して説明するが、これは本発明が属する技術分野で通常の知識を有する者が発明を容易に実施できるほど詳細に説明するためのものであって、これによって本発明の技術的な思想および範疇が限定されるものではない。
【００３３】
図１９および図２０に示されたように、本発明によるコネクターを用いて容易に交替できる逆浸透膜フィルターは、原水（地下水などをいう）が外部から流入される流入口５０と、流入口５０から流入された原水をフィルター側に案内する原水流動通路５０Ａが中央に形成され、逆浸透膜フィルター５６から排出される濃縮水をコネクター５５の濃縮水調節口７６まで案内する濃縮水排出通路５３が形成されるチェックバルブボディー５４と、チェックバルブボディー５４を収容できるように形成された中央貫通ホール５０Ｂと、浄水された水を外部へ排出させる流出口５２と、濃縮水排出通路５３から排出される濃縮水を外部へ排出する濃縮水調節口７６を含んでなるコネクター５５を備える。
【００３４】
さらに、フィルターは、コア形状チューブ５９が内設された逆浸透膜フィルター５６が収容され、コネクター５５に結合する時、オートシャットオフバルブ５１を開放して、原水流動通路５０Ａを開放させるフィルターハウジング５７と、コネクター５５下部に内設され、フィルターハウジング５７をコネクター５５に着脱可能に固定するロッキング手段を備える。
【００３５】
フィルターは、図３、図８ないし図１１に示されたように、フィルターハウジング５７の上側に内設され、フィルターハウジング５７をコネクター５５に結合する時、開放される原水流動通路５０Ａからの原水を逆浸透膜フィルター５６に供給する第１通路６０と、逆浸透膜フィルター５６で浄水されて溜められたチューブ５９からの浄水水を流出口５２に供給する第２通路６１と、逆浸透膜フィルター５６からの濃縮水を排出通路５３に供給する第３通路６２を含んでなる流路切換ガイド６３を備える。
【００３６】
図４ないし図７に示されたように、前述したロッキング手段は、前述したコネクター５５の下面に装着され、貫通孔６４が中央に形成され、安着溝６５が円周方向に複数個形成される下部カバー６６と、安着溝６５に少なくとも２個以上（図面には４個が装着される）が固定ピン６７により各々回動可能にヒンジ固定され、結合溝６８が弧形状で形成されるカム形状のフィルター支持台６９と、結合溝６８に沿ってスライディング移動可能に結合される結合突起７０が一体型に突出形成され、使用者による回動によって（ロッキング状態またはアンロッキング状態に切換ることをいう）固定ピン６７を中心軸にして、フィルター支持台６９を回動させて、コネクター５５に対してフィルターハウジング５７を着脱可能にロッキングさせるレバー７１を備える。
【００３７】
フィルターは、前述した貫通孔６４と接する下部カバー６６の安着溝６５に突出形成されて、レバー７１の回動によって連動されるフィルター支持台６９の過度な回動を防止するストッパー７２を備える。
【００３８】
図３に示されたように、フィルターは、前述した流路切換ガイド６３に延長形成され、逆浸透膜フィルター５６の外側に結合される延長片７３端部をシーリング処理することによって、逆浸透膜フィルター５６とフィルターハウジング５７との間の通路７４に沿って流入される原水と、逆浸透膜フィルター５６から排出通路５３側に排出される濃縮水が混合されることを防止する仕上げ材７５（テープが使われる）を備える。
【００３９】
図３、図１３ないし図１５に示されたように、前述した濃縮水調節口７６は、濃縮水排出通路５３と連通する貫通孔７７が半径方向に下側に形成され、内周縁に溝７８ａが長さ方向に形成される本体７８と、本体７８内部に回転可能に結合され、回転量により溝７８ａと連通される開口量が可変調節されて、濃縮水排出量を制御するように円錘形スリット７９ａが半径方向に貫通形成される回転片７９と、本体７８に着脱可能に結合され、水圧によって、本体７８から回転片７９が離脱および回転されることを防止するキャップ８０を含む。
【００４０】
図３に示されたように、キャップ８２は、フィルターハウジング５７の上段に分離可能にねじ結合されるか、またはフィルターハウジング５７とキャップ８２が互いに分離されないように接着または融着される。コネクター５５のロッキング手段によって、キャップ８２がフィルター支持台６９に固定支持されるように、キャップ８２の首部に円周方向にカラー８２ａが形成される。
【００４１】
この際、図３に示されたように、前述したコネクター５５は、原水流動通路５０Ａに弾性部材５８により弾設され、コネクター５５にフィルターハウジング５７を結合した時、原水流動通路５０Ａを開放するオートシャットオフバルブ５１を備える。
【００４２】
前述したオートシャットオフバルブ５１は、コネクターにフィルターハウジング５７を結合する時、流路切換ガイド６３の結合方向と同一方向に移動可能に装着されるか、または流路切換ガイド６３の結合方向に対して直角方向に移動可能に装着される。
【００４３】
図面中、未説明符号８３は、貫通孔７７と連通するように内部が空いた中空形状であり、かつ濃縮水を外部の指定された場所に排出させる濃縮水排出管である。
【００４４】
以下に、本発明によるコネクターを用いて容易に交替できる浄水用フィルターおよびこれを用いた浄水システムの使用例を、添付された図面を参照して詳細に説明する。
【００４５】
図３に示されたように、逆浸透膜フィルター５６が内設されたフィルターハウジング５７をコネクター５５に図面上、上方向に挿入して結合させる時、流路切換ガイド６３によりオートシャットオフバルブ５１が上方向に加圧されて（この際、弾性部材５８は圧縮される）、原水流動通路５０Ａが開放される。
【００４６】
図７に示されたように、下部カバー６６に結合されたレバー７１を移動させて、アンロック位置（図面上、左側方向をいう）に切換えた状態において、フィルターハウジング５７をコネクター５５に挿入させる時、カム形状のフィルター支持台６９が下部カバー６６の安着溝６５に装着された固定ピン６７を中心軸として回転し、安着溝６５内部に移動されるので（図５（ａ）に図示された状態である）、フィルターハウジング５７をコネクター５５に挿入して、結合させることができる。
【００４７】
この際、オートシャットオフバルブ５１は、フィルターハウジング５７のキャップ８２に結合された流路切換ガイド６３により上方向に押し上げることになるので、原水流動通路５０Ａが開放される。したがって、外部から供給される原水は、流入口５０を通過して、原水流動通路５０Ａ内部に流入された後、流路切換ガイド６３を通過して、通路７４に沿ってフィルターハウジング５７内部に流入される（図３の矢印方向により示される）。
【００４８】
この際、前述したレバー７１を移動させてロック位置に切換える場合、レバー７１の結合突起７０がフィルター支持台６９の結合溝６８内で下部カバー６６の貫通孔６４の中心を中心軸として、スライディング移動されるので、フィルター支持台６９は、固定ピン６７を中心軸として下部カバー６６の安着溝６５から中央の貫通孔６４側に回転される（図５（ｂ）に図示された状態である）。この際、安着溝６５に突出形成されたストッパー７２によりフィルター支持台６９の過度な回動が防止される。
【００４９】
したがって、フィルターハウジングキャップ８２の首部に形成されたカラー８２ａがフィルター支持台６９によって支持されることになるので、フィルターハウジング５７がコネクター５５から外れることを防止することができる。
【００５０】
一方、図３、図８および図９に示されたように、コネクター５５の流入口５０と、流路切換ガイド６３に形成された第１通路６０を通過して、通路７４に沿ってフィルターハウジング５７の下側に流れる原水は、フィルターハウジング５７に内設された逆浸透膜フィルター５６の底面を通じて内部に供給される。この際、流路切換ガイド６３に延長形成されたリング形の延長片７３端部にシーリング処理された仕上げ材７５によりフィルターハウジング５７に流入される原水と逆浸透膜フィルター５６から排出される濃縮水の混合が防止される。
【００５１】
したがって、逆浸透膜フィルター５６により原水中に含まれる各種不純物を濾過することになり、かつ浄水された水は、逆浸透膜フィルター５６の内部中央に設置されたコア形状チューブ５９の内部に流入された後、溜められて、図面上、上方向に移送される。
【００５２】
逆浸透膜フィルター５６により浄水された水は、チューブ５９と流路切換ガイド６３の第２通路６１を通過して、コネクター５５に形成された流出口５２を通じて、外部へ排出され（図３、図８（ｂ）に図示される）、逆浸透膜フィルター５６により濾過された不純物を含む濃縮水は、流路切換ガイド６３の第３通路６２と、チェックバルブボディー５４に形成された濃縮水排出通路５３と、コネクター５５に内設された濃縮水排出口７６を順に通過し、濃縮水排出管８３を通じて、外部の指定された場所に排出される（図３、図１１に図示される）。
【００５３】
一方、図３および図１４に示されたように、逆浸透膜フィルター５６から排出される濃縮水は、流路切換ガイド６３に形成された第３通路６２と、これと連通するようにコネクター５５に内設されたチェックバルブボディー５４に形成された濃縮水排出通路５３と、これと連通するように濃縮水調節口７６の本体７８に形成された貫通孔７７と、これと連通する回転片７９と、回転片７９の円筒壁面に形成された可変幅のスリット７９ａと、本体７８の内周縁に軸方向に形成された溝７８ａを通過して、濃縮水排出管８３を通じて、外部へ排出される。
【００５４】
この際、前述した本体７８に半径方向に形成された貫通孔７７を通過して、本体７８の内部および本体７８に回転可能に結合された回転片７９の内側に流入された濃縮水の排出量を調節することができる。すなわち可変幅を有する円錘形状のスリット７９ａが形成された回転片７９を本体７８に対して回転させることによって、本体７８の内周縁に上下方向に形成された溝７８ａと交差される開口量が決定されるので、濃縮水排出量を調節することができる。
【００５５】
図３、図８（ｃ）および図１０に示されたように、逆浸透膜フィルター５６から排出される浄水された水は、チューブ５９と、これと連通するように流路切換ガイド６３に形成された第２通路６１とコネクター５５の流出口５２を通じて、外部へ排出される。
【００５６】
図４ないし図７に示されたように、逆浸透膜フィルター５６を交替するため、フィルターハウジング５７をコネクター５５から分離しなければならない場合、レバー７１をアンロック位置に切換えることによってレバー７１に一体型に突出形成された結合突起７０をフィルター支持台６９の結合溝６８内でスライディング移動させる。これによって、フィルター支持台６９が固定ピン６７を中心軸として回転され、下部カバー６６に形成された安着溝６５の内側に移動される（図５（ａ）に図示された状態である）。
【００５７】
したがって、フィルターハウジングキャップ８２に形成されたカラー８２に対するフィルター支持台６９のロッキング状態が解除されるので、コネクター５５からフィルターハウジング５７を容易に分離することができる。
【００５８】
図１２は、本発明によるコネクターを用いて容易に交替できる浄水用フィルターの変形例示図である。
【００５９】
図１２に示されたように、浄水フィルターは、原水が外部から流入される流入口５０と、流入口５０から流入された原水をフィルター側に案内して原水が流入される通路を開閉できるように弾性部材５８により弾力設置されるオートシャットオフバルブ５１を収容する原水流動通路５０Ａが中央に形成されたチェックバルブボディー５４と、セジメントフィルター、活性炭フィルター、中空糸膜フィルターの中、いずれか一つの浄水フィルター８１が収容され、コネクター５５に結合された時、オートシャットオフバルブ５１を開放して、原水流動通路５０Ａを開放させるフィルターハウジング５７と、コネクター５５に内設され、フィルターハウジング５７をコネクター５５に着脱可能に固定するロッキング手段を備える。
【００６０】
また、フィルターは、フィルターハウジング５７の上側に内設され、コネクター５５にフィルターハウジング５７を結合する時に開放される流入口５０および原水流動通路５０Ａからの原水を浄水フィルター８１に供給する第１通路６０と、浄水フィルター８１のコア形状の貫通孔８１ａを通過する浄水された水を流出口５２に供給する第２通路６１を含んでなる流路切換ガイド６３を備える。
【００６１】
この際、フィルターハウジング５７に内設され、セジメントフィルター、活性炭フィルター、中空糸膜フィルターの中、いずれか一つが装着される浄水フィルター８１と、原水が流入される流入口５０および原水流動通路５０Ａと浄水された水が外部へ排出される流出口５２を有するコネクター５５を除いた構成は、本発明の一実施例と実質的に同一であるので、詳細な説明は省略し、重複する図面符号は同一に表記した。
【００６２】
コネクター５５にフィルターハウジング５７を結合させる時、オートシャットオフバルブ５１が上方に押し上げられることによって、コネクター５５の原水流動通路５０Ａが開放される。外部から供給される原水は、流入口５０を通じて、原水流動通路５０Ａに流入した後、流路切換ガイド６３に形成された第１通路６０と通路７４を通過して、フィルターハウジング５７内部に流入される。
【００６３】
フィルターハウジング５７に流入される原水は、フィルターハウジング５７に、セジメントフィルター、活性炭フィルター、中空糸膜フィルターの中、いずれか一つが装着された浄水フィルター８１に、半径方向に沿って流入される（図面に矢印方向として表記される）。浄水フィルター８１により浄水された水は、浄水フィルター８１の中央に溜められて、貫通孔８１ａに沿って上方向に移動され、流路切換ガイド６２の第２通路６１と、これと連通するコネクター５５の流出口５２を通過して、外部へ排出される。
【００６４】
すなわち、外部から流入口５０を通じて、コネクター５５の原水流動通路５０Ａに流入される原水は、流路切換ガイド６３の第１通路６０を通じて、フィルターハウジング５７に流入された後、浄水フィルター８１により浄水処理され、浄水された水は、流路切換ガイド６３の第２通路６１を通じて、流出口５２側に排出される。
【００６５】
図１５に示されたように、コネクターに装着される濃縮水排出口７６は、コネクター５５の側面に装着することができる。ここで、コネクター５５に内設されたチェックバルブボディー５４に形成される排出通路５３を通じて、コネクター５５側面方向に濃縮水を排出させることを除いた構成は、図３に図示されたものと実質的に同一に適用されるので、これらの詳細な説明は省略する。
【００６６】
図１３に示されたように、本発明による浄水システムは、原水が外部から流入される流入口５０ａと、流入口５０ａから流入された原水をフィルター側に案内する原水流動通路５０Ａを開閉することができるように弾力設置されるオートシャットオフバルブ５１を収容するチェックバルブボディー５４と、浄水された水を外部へ排出させる流出口５２ａを含んでなる第１コネクターＡと、不織布によって、原水中に含まれるサビ、土、砂などの各種異質物を除去するセジメントフィルター８４が内設され、第１コネクターＡに着脱可能に結合される時、オートシャットオフバルブ５１を開放させて、原水流動通路５０Ａを開放させる第１フィルターハウジングＢを備える。
【００６７】
また、浄水システムは、第１コネクターＡの流出口５２ａに流入口５０ｂが直列に連通するように連結され、流入口５０ｂから流入された原水をフィルター側に案内する原水流動通路５０Ａを開閉させるように弾力設置されるオートシャットオフバルブ５１を収容するチェックバルブボディー５４と、浄水された水を外部へ排出させる流出口５２ｂを含んでなる第２コネクターＣと、活性炭によって、残留塩素のような有機化学物質を除去するプレカーボンフィルター８５が内設され、第２コネクターＣに着脱可能に結合される時、オートシャットオフバルブ５１を開放させて、原水流動通路５０Ａを開放させる第２フィルターハウジングＤを備える。
【００６８】
また、浄水システムは、第２コネクターＣの流出口５２ｂに流入口５０ｄが直列に連通するように連結され、流入口５０ｄから流入された原水をフィルター側に案内する原水流動通路５０Ａを開閉することができるように弾力設置されるオートシャットオフバルブ５１と、濃縮水を外部へ排出させる排出通路５３が形成されたチェックバルブボディー５４を含んでなる第３コネクターＥと、微細な気孔を通じて、細菌、ミネラルなどを除去する逆浸透膜フィルター５６が収容され、第３コネクターＥに着脱可能に結合される時、オートシャットオフバルブ５１を開放させて、原水流動通路５０Ａを開放させる第３フィルターハウジングＦを備える。
【００６９】
また、浄水システムは、第３コネクターＥの流出口５２ｄに流入口５０ｃが直列に連通するように連結され、原水流動通路５０Ａを開閉させることができるように弾力設置されるオートシャットオフバルブ５１を収容するチェックバルブボディー５４と、浄水された水を外部へ排出させる流出口５２ｃを含んでなる第４コネクターＧと、活性炭によって、臭いなどを除去して、水の味を向上させるポストカーボンフィルター８６が内設され、第４コネクターＧに着脱可能に結合される時、オートシャットオフバルブ５１を開放させて、原水流動通路５０Ａを開放させる第４フィルターハウジングＨを備える。
【００７０】
また、浄水システムは、第１、２、３、４コネクターＡ、Ｃ、Ｅ、Ｇに内設され、第１、２、３、４フィルターハウジングＢ、Ｄ、Ｆ、Ｈを、第１、２、３、４コネクターＡ、Ｃ、Ｅ、Ｇに着脱可能に各々固定するロッキング手段を備える。
【００７１】
また、隣り合うコネクターとコネクターとの間を直列に連通するように連結させる連結部材２００内部には、逆流を防止するチェックバルブ１００が内設される。
【００７２】
この際、前述した第１、２、３、４コネクターＡ、Ｃ、Ｅ、Ｇに各々結合された第１、２、３、４フィルターハウジングＢ、Ｄ、Ｆ、Ｈの中、いずれか一つのフィルターハウジングを該当コネクターから分離する場合、弾性部材５８の復原力による第１、２、３、４コネクターＡ、Ｃ、Ｅ、Ｇに各々結合されたオートシャットオフバルブ５１の復帰動作によって、該当流入口５０ａ、５０ｂ、５０ｄ、５０ｃを遮断することになる。
【００７３】
また、隣り合うコネクターとコネクターとの間を直列に連結させる連結部材２００内部に逆流を防止するチェックバルブ１００により下流側コネクターまたはフィルターハウジングに残留される残圧による逆流が遮断される。このため、第１、２、３、４フィルターハウジングＢ、Ｄ、Ｆ、Ｈの中、いずれか一つを交替する時、発生する原水の漏出を防止するための原水閉めバルブを閉め状態に切換えして、閉鎖させる操作が不要になる。
【００７４】
前述した第２コネクターＣと第３コネクターＥとの間の通路に連通する入口４００ａ、出口４００ｂを開閉することができるように設置され、活性炭からなるプレカーボンフィルター８５の最初の交替時、開放される出口４００ｃを通じて、内部の異質物を外部へ排出させるフラッシングバルブ４００をさらに備える。
【００７５】
前述したフラッシングバルブ４００は、好ましくは、外部から電気的信号印加により開閉されるソレノイドバルブまたは手動で開閉される機械式バルブが使われる。
【００７６】
前述した第１コネクターＡと第２コネクターＣとの間の通路に連通する入口５００ａ、出口５００ｂを開閉することができるように設置され、第４フィルターハウジングＨを通過して、貯蔵タンク（図示せず）に貯蔵される浄水が設定された水位を超過時、電気的信号印加により入口５００ａ、出口５００ｂを遮断するソレノイドバルブ５００をさらに備える。
【００７７】
この際、前述したソレノイドバルブ５００の設置位置は、第１コネクターＡと第２コネクターＣとの間の通路に限定されない。例をあげると、第３コネクターＥと第４コネクターＧとの間の通路に設置されることができる。
【００７８】
一方、図１６および図１７に示されたように、本発明によるフィルターハウジングをコネクターに着脱可能に固定するロッキング手段は、下部カバー６６とコネクター５５との間にスイング可能に結合され、使用者による回動によって、フィルター支持台６９を回動させて、コネクター５５に対してフィルターハウジング５７を着脱可能にロッキングさせるレバー７１ａと、コネクター５５底面に弾性部材３００によって弾設固定されるストッパー３０１と、ストッパー３０１と対向されるようにレバー７１ａに上下方向に形成されるロッキング溝７１ｃと、ロッキング溝７１ｃと連通するようにレバー７１ａに半径方向に形成される貫通孔７１ｂと、貫通孔７１ｂに挿入時、ロッキング溝７１ｃからストッパー３０１を離脱させて、コネクター５５に対するレバー７１ａのロッキングを解除させるロッキング解除孔(unlocking hole)３０７を備えることができる。
【００７９】
この際、図１６と図１７に示された、コネクター５５の底面に取り付けられるストッパー３０１と、ストッパー３０１が結合されてレバー７１ａをロッキングさせるロッキング溝７１ｃと、ロッキング溝７１ｃに挿入され、ストッパー３０１のロッキングを解除させるロッキング解除孔(unlocking hole)３０７を除いた構成は、図３に示されたものと実質的に同一に適用されるので、重複する図面符号は同一に表記し、これらの詳細な説明は省略する。
【００８０】
一方、図１７に示されたように、本発明によるコネクターを用いて容易に交替できる浄水用フィルターは、コネクター５５の流出口５２に設置され、第２通路６１を通過する浄水を第２通路６１と連通するように中央に長さ方向に貫通形成される浄水通路３０２を通じて、外部へ排出させ、第３通路６２を通過する濃縮水を第３通路６２と連通するように浄水通路３０２外側に形成される濃縮水通路３０４を通じて、外部へ排出させる二重管形状の連結管３０３と、連結管３０３の濃縮水通路３０４と連通する排出孔３０５により濃縮水を外部へ排出させるように連結管３０３後方に直角方向に分岐接続される濃縮水排出管３０６を備えることができる。
【００８１】
この際、図１７および図１８に示されたように、多数のフィルターカートリッジからなる浄水システムをなす第３フィルターハウジングＦを交替するため第３コネクターＥに対して回転させる場合、濃縮水排出管３０６が連結管３０３の後方に配置されることによって、フィルターハウジングＦを隣接したフィルターハウジングまたはホース（図示せず）に対して干渉を受けなくとも、第３フィルターハウジングＦを容易に交替できる。
【００８２】
図２０および図２１に示されたように、前述したコネクターにフィルターハウジングを結合するロッキング手段は、次のようになっている。
【００８３】
ロッキング手段は、コネクター５５の下面に装着され、フィルターハウジングギャップ８２外径に対応される貫通孔が中央に形成される下部カバーと、コネクターと下部カバーとの間に装着され、対向する傾斜長孔とフィルターハウジングのカラーを着脱可能に締結する対向半円弧部を具備して、弾性部材によって向かい合う方向に加圧される一対のスライドプレートと、傾斜長孔に結合された突起を有する分離バーと分離バーの一端を互いに連結させた押しバーを有する分離ボタン手段を含んで、前述したフィルターハウジングを分離する時、押しバーを加圧することによって、分離バーが前進され、傾斜長孔に結合された突起が前進されて、突起の側面と傾斜長孔の側面との間にすべりが発生され、スライドプレートが突起の移動方向に対して直角方向に移動されて遠ざかる方向に移動されるので、フィルターハウジングをコネクターから分離することができる。
【００８４】
前述したフィルターハウジング５７をコネクター５５下部に装着された下部カバー６６の貫通孔に結合して上方向に押し上げる場合、フィルターハウジングキャップ８２の外側面に形成された環状のカラー８２ａがスライドプレート９６、９７の半円弧部９３、９４の傾斜部によって接触された状態で上方向に移動する。これによって、スライドプレート９６、９６が互いに遠ざかる方向に移動され、同時に長孔９１、９２に結合された突起９８が若干前進移動される。この際、傾斜長孔９１、９２に結合された突起の位置は、傾斜長孔９１、９２の中央に位置する。
【００８５】
前述したカラー８２ａが、スライドプレート９６、９７の傾斜部を乗り越すと、弾性部材９５の弾性復原力によって、スライドプレート９６、９７は互いに向き合う方向に移動されながら、カラー８２ａを拘束することになるのでフィルターハウジング５７をコネクター５５に結合することができる。
【００８６】
一方、本発明によるコネクターを用いて容易に交替できる浄水用フィルターを用いた浄水システムはビデ、浄水器、イオン水器、冷蔵庫、その他機能水製造機に適用されることができる。
【００８７】
以上のように、本発明によるコネクターを用いて容易に交替できる浄水用フィルターおよびこれを用いた浄水システムは、以下のような利点を有する。
【００８８】
浄水システムの該当フィルターカートリッジを交替するために分離する場合、原水の漏出を遮断するため、原水閉めバルブを閉める動作が不要であって、作業性を向上させることができる。
【００８９】
また、原水、浄水水および濃縮水の通路が、一つのポート形状で形成された逆浸透膜フィルターの構造によって、浄水システムの連結構造が簡単化されている。その結果、狭い空間でも浄水システムを容易に設置することができ、フィルターカートリッジの設置および組み立て作業を簡便化して、競争力を向上させる。
【００９０】
また、該当フィルターカートリッジの浄水システムへの、又は浄水システムからの着脱が容易であって、一般消費者らがフィルターを容易に交替できる。
【図面の簡単な説明】
【００９１】
【図１】逆浸透膜フィルターを利用した従来の浄水システムの概略的な構成図である。
【図２】従来の逆浸透膜フィルターの概略図である。
【図３】本発明によるコネクターを用いて容易に交替できる浄水用フィルターの好ましい実施形態の横断面図である。
【図４ａ】本発明の好ましい実施形態における下部カバーの平面図である。
【図４ｂ】本発明の好ましい実施形態における下部カバーの断面図である。
【図５ａ】本発明の好ましい実施形態におけるフィルターハウジングをコネクターに着脱可能に固定するロッキング手段のアンロッキング状態を示す平面図である。
【図５ｂ】本発明の好ましい実施形態におけるフィルターハウジングをコネクターに着脱可能に固定するロッキング手段のロッキング状態を示す平面図である。
【図６ａ】図５に示された下部カバーに安着されたフィルター支持台に結合されるレバーの平面図である。
【図６ｂ】図５に示された下部カバーに安着されたフィルター支持台に結合されるレバーの断面図である。
【図７】図６に示されたレバーの使用状態の図である。
【図８ａ】本発明の好ましい実施形態における流路切換ガイドの平面図である。
【図８ｂ】本発明の好ましい実施形態における流路切換ガイドの正面図である。
【図８ｃ】本発明の好ましい実施形態における流路切換ガイドの底面図である。
【図９】図８ａに示されたＡ−Ａ線における断面図である。
【図１０】図８ａに示されたＢ−Ｂ線における断面図である。
【図１１】図８ａに示されたＣ−Ｃ線における断面図である。
【図１２】本発明の好ましい実施形態におけるコネクターを用いて容易に交替できる浄水用フィルターのコネクターの変形例示図である。
【図１３】本発明の好ましい実施形態における浄水システムを示す図である。
【図１４】本発明の好ましい実施形態におけるコネクターに装着される濃縮水調節口の要部抜粋断面図である。
【図１５】本発明の好ましい実施形態におけるコネクターに装着される濃縮水調節口の変形例を示す図である。
【図１６ａ】本発明の好ましい実施形態におけるフィルターハウジングをコネクターに着脱可能に固定するロッキング手段のロッキング解除状態を示す変形例示図である。
【図１６ｂ】本発明の好ましい実施形態におけるフィルターハウジングをコネクターに着脱可能に固定するロッキング手段のロッキング状態を示す変形例示図である。
【図１７】本発明の好ましい実施形態におけるコネクターを用いて容易に交替できる浄水用フィルターのコネクターの変形例示図である。
【図１８】本発明の好ましい実施形態における浄水システムを示す図である。
【図１９】本発明の好ましい実施形態におけるコネクターを用いて容易に交替できる浄水用フィルターのコネクターの変形例示図である。
【図２０】本発明の好ましい実施形態におけるコネクターを用いて容易に交替できる浄水用フィルターのロッキング手段の変形例示図である。
【図２１】図２０のＯ−Ｏ線における断面図である。
【図２２】本発明の好ましい実施形態におけるコネクターを用いて容易に交替できる浄水用フィルターのソレノイドバルブとフラッシングバルブが設置されたものを示す図である。
【符号の説明】
【００９２】
５０  流入口
５０Ａ  原水流動通路
５２  流出口
５３  濃縮水排出通路
５４  チェックバルブボディー
５５  コネクター
５６  逆浸透膜フィルター
５７  フィルターハウジング
６０  第１通路
６１  第２通路
６２  第３通路
６３  流路切換ガイド
【図１】
2008534255.tif 000003
【図２】
2008534255.tif 000004
【図３】
2008534255.tif 000005
【図４ａ】
2008534255.tif 000006
【図４ｂ】
2008534255.tif 000007
【図５ａ】
2008534255.tif 000008
【図５ｂ】
2008534255.tif 000009
【図６ａ】
2008534255.tif 000010
【図６ｂ】
2008534255.tif 000011
【図７】
2008534255.tif 000012
【図８ａ】
2008534255.tif 000013
【図８ｂ】
2008534255.tif 000014
【図８ｃ】
2008534255.tif 000015
【図９】
2008534255.tif 000016
【図１０】
2008534255.tif 000017
【図１１】
2008534255.tif 000018
【図１２】
2008534255.tif 000019
【図１３】
2008534255.tif 000020
【図１４】
2008534255.tif 000021
【図１５】
2008534255.tif 000022
【図１６ａ】
2008534255.tif 000023
【図１６ｂ】
2008534255.tif 000024
【図１７】
2008534255.tif 000025
【図１８】
2008534255.tif 000026
【図１９】
2008534255.tif 000027
【図２０】
2008534255.tif 000028
【図２１】
2008534255.tif 000029
【図２２】
2008534255.tif 000030
【国際調査報告】
2008534255.tif 000031
2008534255.tif 000032
2008534255.tif 000033
2008534255.tif 000034